(57)【要約】      （修正有）【課題】締結部材を大きくせずに緩み防止効果を発揮できる密封容器を提供する。【解決手段】容器本体２と容器本体２に設けられる開口部を塞ぐキャップ３をねじ結合するものであって、容器本体２側に設けらるねじ山４と、キャップ３側に設けられるねじ溝５とが係合可能に構成されている。そして、ねじ溝５は、その周方向の幅が局部的に広くなるねじ溝幅広部と容器本体２とキャップ３が周方向に相対回動したとき、両者の間の締め付け力を増大させまたは／およびクリック感を発生させる高凸部１２ａとを有している。そして、キャップ３を容器本体２へねじ山４およびねじ溝５の線条方向に沿う方向で締め込んだときに、ねじ溝幅広部にねじ山４が入り、かつキャップ３と容器本体２とが周方向に相対回動可能とされている。【選択図】図１
2010265031.tif 000002
【特許請求の範囲】
【請求項１】
容器本体と上記容器本体に設けられる開口部を塞ぐキャップをねじ結合することにより締結する密封容器において、
上記容器本体と上記キャップのいずれか一方の側に設けられるねじ係合部のねじ山と、他方の側に設けられるねじ係合部のねじ溝とが係合可能に構成され、上記ねじ溝は、その周方向の幅が局部的に広くなるねじ溝幅広部と、上記容器本体と上記キャップが周方向に相対回動したとき、上記両者の間の締め付け力を増大させまたは／およびクリック感を発生させる突起部とを有し、上記キャップを上記容器本体へ上記ねじ山および上記ねじ溝の線条方向に沿う方向で締め込んだときに、上記ねじ溝幅広部に上記ねじ山が入り、かつ上記キャップと上記容器本体とが周方向に相対回動可能とされていることを特徴とする密封容器。
【請求項２】
請求項１記載の密封容器において、
前記ねじ溝幅広部に前記ねじ山が入った状態で、前記容器本体と前記キャップとを周方向に相対回動させて前記ねじ溝幅広部と前記ねじ山との係止力を発生することを特徴とする密封容器。
【請求項３】
請求項１または２記載の密封容器において、
前記容器本体の開口端と前記キャップの底面との間にパッキンが配置され、前記周方向の相対回動によって前記ねじ溝幅広部と前記ねじ山が強く係合した状態で上記パッキンが潰れた状態となることを特徴とする密封容器。
【請求項４】
請求項１から３のいずれか１項に記載の密封容器において、
前記キャップを前記容器本体へ前記ねじ山および前記ねじ溝の線条方向に沿う方向で締め込んだときに、前記ねじ山となる第１の凸部の一部または全部が、前記ねじ溝に設けられた第２の凸部の一部を乗り越えて互いに係止し合うと共に上記第２の凸部の他の一部が前記突起部となることを特徴とする密封容器。
【請求項５】
請求項１から４のいずれか１項に記載の密封容器において、
前記ねじ山は、前記ねじ溝の１本おき、２本おき、３本おき、４本おき、または５本おきに形成されることを特徴とする密封容器。
【発明の詳細な説明】
【技術分野】
【０００１】
本発明は、密封容器に関する。
【背景技術】
【０００２】
容器本体とキャップを締結する密封容器としては種々のものが知られている。また、密封容器の中でねじを利用するものとしては、液体、粉体等の固体、クリームまたはゲル等の半固体状のものを収納し、キャップを容器本体にねじ止めすることにより内部を密封する密封容器が知られている。そこで、このような容器を対象としてキャップの不用意な緩みを防止するための緩み止め構造が提案されている（特許文献１参照）。
【０００３】
特許文献１に記載されている容器は、容器本体の口頸部の外面側に形成された雄ネジと螺合するように、キャップのスカート部の内面側に雌ネジが形成されている合成樹脂製キャップを有している。そして、口頸部の雄ネジよりも下方に環状のネックリングが形成されている。そのネックリングに対応して、キャップのスカート部の下端部分の内面側に、スカート部の円周方向で略等間隔に少なくとも３本以上の縦リブが形成されている。そして、キャップを口頸部に充分螺着させた状態で、キャップの縦リブが口頸部のネックリングに外方から当接するように構成されている。
【先行技術文献】
【特許文献】
【０００４】
【特許文献１】特開２００３−４０２９６号公報
【発明の概要】
【発明が解決しようとする課題】
【０００５】
特許文献１に記載されている容器は、緩み止めの実現のため、口頸部の雄ネジよりも下方に環状のネックリングを形成し、キャップのスカート部の下端部分の内面側に縦リブを形成している。このような構造は、緩み止めのためにキャップおよび口頸部の領域を特別に設ける必要があり、容器が大きくなってしまう。
【０００６】
そこで、本発明の目的は、密封容器を大きくせずに緩み防止効果を発揮できる密封容器を提供することである。
【課題を解決するための手段】
【０００７】
上記目的を達成するため、本発明の密封容器は、容器本体と容器本体に設けられる開口部を塞ぐキャップをねじ結合することにより締結する密封容器において、容器本体とキャップのいずれか一方の側に設けらるねじ係合部のねじ山と、他方の側に設けられるねじ係合部のねじ溝とが係合可能に構成され、ねじ溝は、その周方向の幅が局部的に広くなるねじ溝幅広部と、容器本体とキャップが周方向に相対回動したとき、両者の間の締め付け力を増大させまたは／およびクリック感を発生させる突起部とを有し、キャップを容器本体へねじ山およびねじ溝の線条方向に沿う方向で締め込んだときに、ねじ溝幅広部にねじ山が入り、かつキャップと容器本体とが周方向に相対回動可能とされている。
【０００８】
ここで、ねじ溝幅広部にねじ山が入った状態で、容器本体とキャップとを周方向に相対回動させてねじ溝幅広部とねじ山との係止力を発生することが好ましい。
【０００９】
また、容器本体の開口端とキャップの底面との間にパッキンが配置され、周方向の相対回動によってねじ溝幅広部とねじ山が強く係合した状態でパッキンが潰れた状態となることが好ましい。
【００１０】
また、キャップを容器本体へねじ山およびねじ溝の線条方向に沿う方向で締め込んだときに、ねじ山となる第１の凸部の一部または全部が、ねじ溝に設けられた第２の凸部の一部を乗り越えて互いに係止し合うと共に第２の凸部の他の一部が突起部となることが好ましい。
【００１１】
また、第１の凸部は、容器本体の開口部先端側またはキャップの開口側の高い突部とそれに続くより低い突部から構成され、第２の凸部は、容器本体の開口部先端側またはキャップの開口側に設けられた突起部となる高い高凸部と、高凸部とは逆側に設けられた低い低凸部を有し、ねじ溝幅広部は、第２の凸部の高凸部とは逆側に設けられた第１の溝幅広部と、高凸部と低凸部との間に設けられた第２の溝幅広部とから構成され、周方向の相対回動前は、高い突部が第１の溝幅広部に入り、周方向の相対回動後は、高い突部が第１の溝幅広部に入った状態を維持し、かつ低い突部の後端が高凸部に係止されていることが好ましい。
【００１２】
また、高凸部の低い突部との接触部分を、徐々に容器本体の開口部後端側またはキャップの底面側に突出する傾斜面としたことが好ましい。
【００１３】
また、低凸部は、隣接するねじ山の周方向間をつなぐ状態で設置され、線条方向の両側に傾斜面を有する台形形状とされていることが好ましい。
【００１４】
また、高凸部は、その中央部が凹んだ凹部を有していることが好ましい。
【００１５】
また、ねじ山は、ねじ溝の１本おき、２本おき、３本おき、４本おき、または５本おきに形成されることが好ましい。
【発明の効果】
【００１６】
本発明では、締結部材を大きくせずに緩み防止効果を発揮できる締結部材を提供することができる。
【図面の簡単な説明】
【００１７】
【図１】本発明の実施の形態に係る密封容器の縦断面図で、左側のねじ係合部をリード角（３０°）に沿った端面図として描き、右側のねじ係合部を、便宜上リード角を９０°とした端面図として描いた図である。
【図２】図１に示す密封容器を構成する容器本体の縦断面図で、左側のねじ係合部をリード角（３０°）に沿った端面図として描き、右側のねじ係合部を、便宜上リード角を９０°とした端面図として描いた図である。
【図３】図１に示す密封容器を構成するキャップの縦断面図で、左側のねじ係合部をリード角（３０°）に沿った端面図として描き、右側のねじ係合部を、便宜上リード角を９０°とした端面図として描いた図である。ただし、左右両側以外の第２の凸部の図示を省略している。
【図４】図１に示す密封容器を構成する容器本体のねじ係合部の展開図と、ねじ山を３つの断面線で切断した３つの断面図である。
【図５】図１に示す密封容器を構成するキャップのねじ係合部の展開図と、第２の凸部を６つの断面線で切断した６つの断面図である。
【図６】図１に示す密封容器を構成する容器本体とキャップとを係合する際のねじ山と第２の凸部との関係を示す概要斜視図であり、容器本体とキャップをねじ結合しようとする際の状態を示す図である。
【図７】図１に示す密封容器における容器本体の高い突部が、キャップの低凸部を乗り越えて互いに係止し合う状態における、ねじ山と低凸部の状態を示す断面概要図である。
【図８】図１に示す密封容器におけるキャップに設けられた高凸部の壁面が、連結部に近づくほどキャップの底面に近づく斜面とされている状態を示す図である。
【図９】図１に示す密封容器におけるキャップに設けられた高凸部の壁面が、ねじ山の壁面を押圧する状態における、ねじ山、低凸部および高凸部の状態を示す断面概要図である。
【図１０】本実施の形態に係る密封容器の変形例を示す図で、キャップに設けられた高凸部の形状を異ならせた例を示す図である。
【図１１】図１０に示す変形例の密封容器に対して、図６に示す矢印Ｙの動作を行った場合の途中の状態を示す図である。
【図１２】図１０に示す変形例の密封容器に対して、図６に示す矢印Ｙの動作を行い終了した状態を示す図である。
【図１３】図１０に示す変形例の密封容器に対して、図６に示す矢印Ｙの動作を行い終了した状態を示す図で、図１２のＬ−Ｌ断面図と、突出部の２つの切断線（Ｍ−ＭおよびＮ−Ｎ）で切断した断面図を示している。
【図１４】本実施の形態に係る密封容器のさらなる変形例を示す図で、突出部を半球状のものとした図である。
【図１５】本実施の形態に係る密封容器のさらなる変形例を示す図で、突出部を長尺状のものとした図である。
【図１６】本実施の形態に係る密封容器のさらなる変形例を示す図で、突出部と角度の傾斜とを混在させたものであり、突出部を傾斜面と平行面とで形成したものの図である。
【発明を実施するための形態】
【００１８】
以下、本発明の実施の形態に係る密封容器について、図を参照しながら説明する。なお、この密封容器は、化粧品を収納する密封容器としているが、飲料用の容器（ペットボトル等）、食料品保存用の容器等のその他の密封容器にも適用できる。
【００１９】
（密封容器の構成）
図１は、本発明の実施の形態に係る密封容器１の縦断面図である。ただし、この図１においては、左側のねじ係合部（容器本体２とキャップ３との隙間における容器本体２の外周およびキャップ３の内周）は、リード角（３０°）に沿った端面図として描かれており、右側のねじ係合部は、便宜上リード角を９０°として描かれている（図２、図３も同様）。図２は、容器本体２の縦断面図である。図３は、キャップ３の縦断面図である。なお、各ねじ係合部のねじ山４等の突出部は、容器本体２やキャップ３とは別部材かのように図示されている（断面を示す斜線の間隔が異なっている）が、これは、ねじ係合部の係合関係を分かりやすく説明するためのもので、実際は容器本体２からの突出部は、容器本体２と一体成形されたものであり、キャップ３からの突出部は、キャップ３と一体成形されたものである。また、各ねじ係合部の突出部は、断面図ではなく端面図として表わしている。
【００２０】
密封容器１は、ポリオレフィン系樹脂製の容器本体２と、容器本体２に設けられる開口部を塞ぐポリオレフィン系樹脂製のキャップ３をねじ結合することにより締結するものである。容器本体２の開口部の外周にねじ係合部を構成するねじ山４が設けられている。そして、キャップ３の内周にねじ係合部を構成するねじ溝５が設けられている。ねじ山４とねじ溝５は、係合可能に構成されている。
【００２１】
図１および図２に示すように、容器本体２は、収容物を収容する底付き円筒状の収容部２ａと、収容部２ａの高さの約半分の部分から収容部２ａの径方向に伸び、さらに下側方向に伸びて、収容部２ａの下半分の外周を覆う円筒状のスカート部２ｂを有している。このスカート部２ｂよりも上側の収容部２ａの外周が容器本体２のねじ係合部となる。収容部２ａの底面の中央は、容器本体２の成形時に溶融樹脂が圧入される位置に対応する位置であり、その位置に成形終了時に形成される半球状の隆起部２ｃが形成されている。
【００２２】
図１および図３に示すように、底付き円筒状のキャップ３は、底面３ａに近い側の側面の肉厚部３ｂと、肉厚部３ｂよりも開口側の側面部３ｃとを有している。この側面部３ｃの内周がキャップ３のねじ係合部となる。キャップ３の内側の底面３ａの中央は、キャップ３の成形時に溶融樹脂が圧入される位置に対応する位置であり、その位置に成形終了時に形成される円形状の凹部３ｄが形成されている。
【００２３】
また、図１および図３に示すように、底面３ａ全体には、底面３ａを覆うようにパッキン６が配置されている。そして、図１に示すように、周方向の相対回動（詳細は後述）によってねじ溝幅広部（詳細は後述）とねじ山４が強く係合した状態、すなわち、キャップ３を強く締めた状態で、容器本体２の開口端とキャップ３の底面３ａの対向部分におけるパッキン６が潰れた状態となる。
【００２４】
また、図１および図２に示すように、キャップ３を容器本体２へねじ山４およびねじ溝５の線条方向に沿う方向で締め込み、その後、両者を周方向に相対回動したときに、容器本体２のねじ係合部に設けられているねじ山４となる第１の凸部１１の高い突部１１ａが、キャップ３のねじ係合部のねじ溝５に設けられた第２の凸部１２の低突部１２ｂを乗り越えた状態で互いに係止し合っている。ここで、本実施の形態では、ねじ山４は第１の凸部１１と同一のものを指す。
【００２５】
そして、ねじ山４となる第１の凸部１１は、容器本体２の開口部先端側の高い突部１１ａとそれに続くより低い突部１１ｂから構成されている。そして、キャップ３のねじ係合部に設けられる第２の凸部１２は、キャップ３の開口側に設けら突起部となる高い高凸部１２ａと高凸部１２ａとは逆側（キャップ３の底面３ａ側）に設けられる低い低凸部１２ｂを有している。ここで、高凸部１２ａ（突起部）は、容器本体２とキャップ３を周方向に相対回動したとき、両者の間の締め付け力を増大させる機能を有する。
【００２６】
ここで、容器本体２は、上述したように、ねじ山４（第１の凸部１１）と共に一体成形されている。また、キャップ３は、上述したように、第２の凸部１２と共に一体成形されている。
【００２７】
図４は、容器本体２のねじ係合部の展開図と、ねじ山４の断面図である。ねじ山４が容器本体２の開口部の外周の周方向に等間隔に配置されている。ねじ山４のリード角αは３０°である。図４には、ねじ山４の長尺方向（線条方向）のＡ−Ａ断面図をも示している。ねじ山４は、高い突部１１ａとそれに続くより低い突部１１ｂを有している。高い突部１１ａの上面１１ａ１と低い突部１１ｂの上面１１ｂ１は平坦面（実際は、容器本体２の外周面に沿って周方向にわずかに曲面となる面）である。高い突部１１ａと低い突部１１ｂとは、斜面１１ｃによって連結されている。高い突部１１ａの斜面１１ｃとは反対側の端部と容器本体２の開口部の外周面とは、斜面１１ｄによって連結されている。低い突部１１ｂの斜面１１ｃとは反対側の端部と容器本体２の開口部の外周面とは、低い突部１１ｂの上面から約９０°の角度をなす壁面１１ｅによって連結されている。
【００２８】
図４には、ねじ山４の低い突部１１ｂの部分の短尺方向のＢ−Ｂ断面図をも示している。低い突部１１ｂの上面１１ｂ１と容器本体２の外周面とは、斜面１１ｆ，１１ｆによって連結されている。図４には、ねじ山４の高い突部１１ａの部分の短尺方向のＣ−Ｃ断面図をも示している。高い突部１１ａの上面１１ａ１と容器本体２の外周面とは、斜面１１ｇ，１１ｇによって連結されている。Ｂ−Ｂ断面図およびＣ−Ｃ断面図に示されるねじ山４の断面は、等脚台形の形状をしている。なお、図４のＫ１−Ｋ１で切断したものは、図１、図２の右側のねじ係合部の端面状態として示され、ねじ山４（第１の凸部）の端面状態を示すものとなっている。
【００２９】
図５は、キャップ３のねじ係合部の展開図と、第２の凸部１２の断面図である。第２の凸部１２がキャップ３の内周の周方向に等間隔に配置されている。その間隔は、図４に示すねじ山４が容器本体２の開口部の外周の周方向に配置されている間隔と同一である。また、第２の凸部１２のリード角βは３０°である。
【００３０】
また、図５のＤ−Ｄ断面図（線条方向の断面図）に示すように、第２の凸部１２は、キャップ３の開口側に設けられた高い高凸部１２ａと、高凸部１２ａとは逆側（キャップ３の底面３ａ側）に離隔して設けられた低い低凸部１２ｂを有している。低凸部１２ｂとキャップ３の底面３ａとの間、および高凸部１２ａと低凸部１２ｂの間のキャップ３の内周面部分は、ねじ溝５を構成するねじ溝幅広部である。前者が第１の溝幅広部５ａ、後者が第２の溝幅広部５ｂである。第２の溝幅広部５ｂは、ねじ山４を線条方向に案内する細長い幅狭ねじ溝５ｃとつながっている。
【００３１】
高凸部１２ａの中心部には、斜面１２ｃおよび底面１２ｄからなる断面等脚台形の凹部１２ｅが形成されている。それ以外の高凸部１２ａの上面１２ａ１は、平坦面（実際は、キャップ３の内周面に沿って周方向にわずかに曲面とされた面）とされている。また、高凸部１２ａのキャップ３の開口側端部上面とキャップ３の内周面とは、斜面１２ｆによって連結されている。また、高凸部１２ａの低凸部１２ｂ側の端部上面１２ａ１とキャップ３の内周面とは、高凸部１２ａの上面１２ａ１から約９０°の角度をなす壁面１２ｇによって連結されている。低凸部１２ｂの上面１２ｂ１は平坦面（実際は、キャップ３の内周面に沿って周方向にわずかに曲面とされた面）とされ、その上面１２ａ１と高凸部１２ａ側およびキャップ３の底面３ａ側のキャップ３の内周面とは、斜面１２ｈ，１２ｈによってそれぞれ連結されている。低凸部１２ｂは、線条方向に沿った断面形状が等脚台形とされている。
【００３２】
図５のＥ−Ｅ断面図は、高凸部１２ａも周方向の断面図である。凹部１２ｅは、Ｄ−Ｄ断面と同様に斜面１２ｃおよび底面１２ｄからなる断面等脚台形の形状となっている。高凸部１２ａの上面１２ａ１とその両脇のキャップ３の内周面とは、連結部１２ｋ側の斜面１２ｊ１と、連結部１２ｋ側とは反対側の斜面１２ｊ２によって連結されている。
【００３３】
また、図５のＦ−Ｆ断面図に示すように、第２の凸部１２は、高凸部１２ａと低凸部１２ｂを連結し両者を一体とする細長い連結部１２ｋを有している。連結部１２ｋは、高凸部１２ａから延在し、高凸部１２ａの高さを維持したまま底面３ａ付近まで伸びている。すなわち、高凸部１２ａの一部は、連結部１２ｋの一部を形成している。また、連結部１２ｋの上面と高凸部１２ａの平坦な上面１２ａ１は、同一平面となる。
【００３４】
そして、図５のＧ−Ｇ断面図に示すように、連結部１２ｋは、隣接する第２の凸部１２が有する低凸部１２ｂとも一体となっている。すなわち、隣接する低凸部１２ｂは、連結部１２ｋによって周方向に連結されている。なお、連結部１２ｋの上面は平坦面（実際は、キャップ３の内周面に沿って周方向にわずかに曲面とされた面）とされている。連結部１２ｋの底面３ａ側は、キャップ３の肉厚部３ｂと連結されている。また、連結部１２ｋの上面と低凸部１２ｂの上面１２ｂ１とは、斜面１２ｎによって連結されている。すなわち、左側の斜面１２ｎとＥ−Ｅ断面図における左側の斜面１２ｊは、同一平面を形成している。
【００３５】
図５のＨ−Ｈ断面図は、隣接する高凸部１２ａの隙間の断面を示す図である。すなわち、容器本体２のねじ山４が線条方向に進入してくる部分の断面図である。隣接する高凸部１２ａの隙間は、キャップ３の内周面であり、細長い幅狭ねじ溝５ｃである。幅狭ねじ溝５ｃとキャップ３の底面３ａとを結ぶ線条方向の直線上には、底面３ａ側から第１の溝幅広部５ａ、低凸部１２ｂ、第２の溝幅広部５ｂ、および幅狭ねじ溝５ｃが、この順番で存在する。
【００３６】
図５のＪ−Ｊ断面図は、第２の溝幅広部５ｂの周方向の断面を示す図である。一方の第２の溝幅広部５ｂと連結部１２ｋの上面とは、斜面１２ｐによって連結されている。この断面における第２の溝幅広部５ｂの形状は等脚台形である。第１の溝幅広部５ａの周方向の断面を示した場合も、このＪ−Ｊ断面図と同様の図となる。なお、図５のＫ２−Ｋ２線で切断したものは、図１、図３の右側のねじ係合部の端面状態として示され、キャップ３の第２の凸部１２の端面状態を示すものとなる。また、図５のＫ３−Ｋ３線で切断したものは、図１、図３の左側のねじ係合部のキャップ３側の端面を示すものとなる。なお、図１、図２の左側のねじ係合部の容器本体２側の端面状態を示すものは、図４のＡ−Ａ線で切断したものとなる。
【００３７】
（密封容器１の開閉動作）
図６は、容器本体２とキャップ３とを係合する際のねじ山４と第２の凸部１２との関係を示す概要斜視図である。すなわち図６は、容器本体２とキャップ３をねじ結合しようとする際の状態を示す図である。
【００３８】
容器本体２とキャップ３とは、相対的に近づく方向でかつねじ山４とねじ溝５の線条方向に相対移動することで締め込まれる。なお、この説明に当たっては、キャップ３側、すなわち第２の凸部１２が固定し容器本体２側が移動するとして説明する。すなわち、ねじ山４が矢印Ｘの矢印方向に沿って線条方向に移動する様子を説明する。しかしながら、通常は、容器本体２を固定しキャップ３を容器本体２にねじ係合させるように動作させることが多い。ねじ山４は、２つの高凸部１２ａの隙間である幅狭ねじ溝５ｃを通る。その際には、ねじ山４の斜面１１ｆ，１１ｆ，１１ｇ，１１ｇが、それぞれ対向する第２の凸部１２の斜面（高凸部１２ａの斜面１２ｊおよび連結部１２ｋの斜面１２ｎ）と接触し、ねじ山４とねじ溝５が係合する。そして、ねじ山４の高い突部１１ａが第２の溝幅広部５ｂへと進み、さらに第２の凸部１２の低凸部１２ｂに近づく。そして、ねじ山４の高い突部１１ａの斜面１１ｄが、低凸部１２ｂのキャップ３の開口部側の斜面１２ｈとぶつかる。そのぶつかった状態でねじ山４を矢印Ｘに沿ってさらに進めると、斜面１１ｄと斜面１２ｈとが擦れ合いながらねじ山４の高い突部１１ａが径方向外側に移動もしくは弾性変形し、または／および低凸部１２ｂが径方向内側に移動もしくは弾性変形する。すると、高い突部１１ａが、低凸部１２ｂを乗り越えて互いに係止し合う状態となる。
【００３９】
図７は、この係止状態における、ねじ山４の第１の凸部１１と低凸部１２ｂの状態を示す断面概要図である。この係止状態では、高い突部１１ａの斜面１１ｃが、低凸部１２ｂのキャップ３の底面３ａ側の斜面１２ｈと強く係合している。また、この係止状態では、低い突部１１ｂの上面１１ｂ１が、低凸部１２ｂの上面１２ｂ１と接触している。なお、この係止状態では、図１に示すように、パッキン６が容器本体２の開口端によって押圧され、容器本体２とキャップ３の密封が実現する。なお、この係止状態では、パッキン６が０．１ｍｍ押圧されるが、後述する周方向の相対回動によってパッキン６が押圧されるようにしても良い。
【００４０】
以上の動作を行わせるためには、ユーザーは、キャップ３の開口部を容器本体２の開口部に被せて、キャップ３の外側底面を指等で押圧する。キャップ３を回転させる操作を要しないのは、ねじ係合部のリード角α，βが３０°であり、大きな回転角度を要しないためである。ユーザーは、この係止がされたこと、すなわち、高い突部１１ａが、低凸部１２ｂを乗り越えたことをクリック感のような衝撃として認識できる。
【００４１】
次に、図７に示す係止状態から、周方向への相対回動させる場合について説明する。この説明に当たっては、一例として図６に示す矢印Ｙの方向（周方向）へとねじ山４を移動させる動作について説明する。図７に示す係止状態では、高凸部１２ａの壁面１２ｇとねじ山４の壁面１１ｅとが対向していない状態でかつ互いが同一平面上にある。よって、ねじ山４は、高い突部１１ａの斜面１１ｃが、低凸部１２ｂのキャップ３の底面３ａ側の斜面１２ｈと矢印Ｙの方向への擦り合いをしながらの移動が可能となる。なお、壁面１２ｇは、図８に示すように、連結部１２ｋに近づくほど底面３ａに近づく斜面とされている。すなわち、壁面１２ｇは、周方向の仮想直線Ｖに対してわずかな角度αを持つように形成されている。このため、両者の周方向への相対回動によって、ねじ山４の高い突部１１ａが第１の溝幅広部５ａを、低い突部１１ｂが第２の溝幅広部５ｂをそれぞれ矢印Ｙの方向へ移動し、高凸部１２ａの壁面１２ｇが、ねじ山４の壁面１１ｅを強く押圧する状態となる。
【００４２】
図９は、この押圧状態における、ねじ山４の第１の凸部１１、低凸部１２ｂおよび高凸部１２ａの状態を示す断面概要図である。また、図１にも、この状態が示されている。この押圧状態では、高い突部１１ａの斜面１１ｃが、低凸部１２ｂのキャップ３の底面３ａ側の斜面１２ｈとの係合力が弱まるか、またはわずかに離れている。しかし、その隙間はわずかであり、図９では接触状態として示している。また、この状態では、低い突部１１ｂの上面１１ｂ１が、低凸部１２ｂの上面１２ｂ１と接触している。さらに、この状態では、上述のように高凸部１２ａの壁面１２ｇが、ねじ山４の壁面１１ｅを強く押圧している。なお、この押圧状態では、図１に示すように、パッキン６が容器本体２の開口端による押圧が維持され、容器本体２とキャップ３の密封も維持される。そして、高凸部１２ａの壁面１２ｇが、ねじ山４の壁面１１ｅを強く押圧することによって、高い突部１１ａの斜面１１ｃと、低凸部１２ｂのキャップ３の底面３ａ側の斜面１２ｈとの係合力が弱まるかまたは僅か離れる。すなわち、高凸部１２ａは、容器本体２とキャップ３の間の締め付け力を増大させ、両者の緩みを防止する。
【００４３】
以上の移動させる動作を行わせるためには、ユーザーが、図７の係止状態から、キャップ３と容器本体２とを周方向に相対回動させる。上述した例では。容器本体２を矢印Ｙの方向に僅かに回転させる。また、この押圧状態を解くには、キャップ３と容器本体２とを逆方向に相対回動させる。上述した例では、ユーザーが、キャップ３を容器本体２に対して周方向であって矢印Ｙとは逆の方向に僅かに回転させる。さらに、その係止状態を解いてキャップ３を容器本体２から取り外すには、両者を逆方向に相対回動させつつ両者を離すように移動させる。上述の例では、ユーザーが、上述の係止状態から、容器本体２を矢印Ｙとは逆の方向に回転させつつ、矢印Ｘとは逆方向に移動させる。
【００４４】
（本発明の実施の形態によって得られる主な効果）
本発明の実施の形態に係る密封容器１は、容器本体２と容器本体２に設けられる開口部を塞ぐキャップ３をねじ結合するものであって、容器本体２側に設けらるねじ山４と、キャップ３側に設けられるねじ溝５とが係合可能に構成されている。そして、ねじ溝５は、その周方向の幅が局部的に広くなるねじ溝幅広部５ａ，５ｂと、容器本体２とキャップ３が周方向に相対回動したとき、両者の間の締め付け力を増大させる高凸部１２ａとを有している。密封容器１は、このような構成をねじ係合部内に全て収めることができるため、密封容器１を大きくせずに緩み防止効果を発揮できる密封容器１を提供することができる。
【００４５】
そして、密封容器１は、キャップ３を容器本体２へねじ山４およびねじ溝５の線条方向に沿う方向で締め込んだときに、ねじ溝幅広部５ａ，５ｂにねじ山４が入り、かつキャップ３と容器本体２とが周方向に相対回動可能とされている。ここで、ねじ溝幅広部５ａ，５ｂにねじ山４が入った状態で、容器本体２とキャップ３とを周方向に相対回動させると、ねじ溝幅広部５ａ，５ｂとねじ山４との間に強い係止力が発生する。なぜなら、高凸部１２ａの壁面１２ｇが周方向に斜面形状とされ、壁面１２ｇが、ねじ山４の壁面１１ｅを強く押圧する状態となるためである。
【００４６】
また、容器本体２の開口端とキャップ３の底面３ａとの間にパッキン６が配置され、周方向の相対回動によってねじ溝幅広部５ａ，５ｂとねじ山４が強く係合した状態でパッキン６が潰れた状態となっている。そのため、より密封度の高い密封容器１となっている。また、パッキン６をキャップ３の底面３ａの全面を被覆することによって、キャップ３の成形終了時に形成される凹部３ｄを隠すことができ、密封容器１を見た目に美しいものとすることができる。さらに、パッキン６によって、ねじ結合のための回転動作がたとえば３０°から４０°と少なくても、密封容器１の密封性を高く得ることができる。
【００４７】
また、キャップ３を容器本体２へねじ山４およびねじ溝５の線条方向に沿う方向で締め込んだときに、ねじ山４が、ねじ溝５に設けられた低凸部１２ｂを乗り越えて互いに係止し合っている。そのため、図６に示す矢印Ｙ方向への移動動作を行わなくても密封容器１の密封状態を実現できる。ただし、ねじ山４と低凸部１２ｂとの係止のみでは密封容器１の密封状態を良好にし難い場合があると考えられるし、ねじ山４と低凸部１２ｂとの係止部分が摩耗等する場合も考えられるため、矢印Ｙ方向への回動動作である両者の相対回動を行って、高凸部１２ａの壁面１２ｇとねじ山４の壁面１１ｅとが、互いに強く押圧し合う状態とすることが、密封容器１の密封性を良好にする観点から好ましい。
【００４８】
また、ねじ山４は、容器本体２の開口部先端側の高い突部１１ａとそれに続くより低い突部１１ｂから構成され、第２の凸部１２は、キャップ３の開口側に設けられた高い高凸部１２ａと、高凸部１２ａとは逆側に設けられた低い低凸部１２ｂを有している。そして、ねじ溝幅広部５ａ，５ｂは、第２の凸部１２の高凸部１２ａとは逆側に設けられた第１の溝幅広部５ａと高凸部１２ａと低凸部１２ｂとの間に設けられた第２の溝幅広部５ｂから構成され、周方向の相対回動前は、高い突部１２ａが第１の溝幅広部５ａに入り、周方向の相対回動後は、高い突部１２ａが第１の溝幅広部５ａに入った状態を維持し、かつ低い突部１１ｂの壁面１１ｅが高凸部１２ａに係止されている。そのため、上述の図６に示す矢印Ｙ方向への移動動作が可能でかつ密封性を向上させた密封容器１の構成を実現できる。
【００４９】
また、低凸部１２ｂは、隣接するねじ山４をつなぐ状態で設置され、線条方向の両側に傾斜面１２ｈ，１２ｈを有する台形形状とされている。そのため、ねじ山４が、低凸部１２ｂを乗り越える際の動作をスムーズにすることができる。
【００５０】
また、高凸部１２ａは、その中央部が凹んだ凹部１２ｅを有している。そのため、キャップ３の成形の際のヒケを低減し、成形の精度を高くすることができる。
【００５１】
また、ねじ山４やねじ溝５のリード角α，βは、３０°であるため、密封容器１の開閉の動作の際に、ねじ結合のための回転動作を周方向に４０°程度と少なくすることができる。このように、回転動作が少ないため、キャップ３を容器本体２に被せて押下することで、密封容器１の密封を実現できる。
【００５２】
また、ねじ山４が、低凸部１２ｂを乗り越える際には、クリック感の衝撃によってユーザがそれを認識できるため、密封容器１が密封されたことおよびその密封が解かれたことをユーザが確認できる。
【００５３】
（他の形態）
以上、本発明の実施の形態における密封容器１について説明したが、本発明の要旨を逸脱しない限り種々変更実施可能である。
【００５４】
本発明の実施の形態に係る密封容器１は、容器本体２と容器本体２に設けられる開口部を塞ぐキャップ３をねじ結合するものであって、容器本体２側に設けらるねじ山４と、キャップ３側に設けられるねじ溝５とが係合可能に構成されている。そして、ねじ溝５は、その周方向の幅が局部的に広くなるねじ溝幅広部５ａ，５ｂと、容器本体２とキャップ３が周方向に相対回動したとき、両者の間の締め付け力を増大させる高凸部１２ａとを有している。そして、キャップ３を容器本体２へねじ山４およびねじ溝５の線条方向に沿う方向で締め込んだときに、ねじ溝幅広部５ａ，５ｂにねじ山４が入り、かつキャップ３と容器本体２とが周方向に相対回動可能とされている。
【００５５】
しかし、ねじ山４は、キャップ３側に設けられ、ねじ溝５は、容器本体２側に設けられることとしても良い。
【００５６】
また、密封容器１は、ねじ溝幅広部５ａ，５ｂにねじ山４が入った状態で、容器本体２とキャップ３とを周方向に相対回動させると、ねじ溝幅広部５ａ，５ｂとねじ山４との係止力が発生する。しかし、他の形態としても良い。たとえば、ねじ溝幅広部５ａ，５ｂとねじ山４との係止力を発生させるのではなく、ねじ係合部に形成されるが、ねじ結合に関与しない凹部と凸部とで上述の係止力を発生させることとしても良い。また、キャップ３を容器本体２へねじ山４およびねじ溝５の線条方向に沿う方向で締め込んだときに、ねじ山４が、ねじ溝５に設けられた低凸部１２ｂを乗り越えて互いに係止し合っている構成のみで上述と同様の係止力を発生させても良い。すなわち、周方向に相対回動可能な構成にしなくても良い。
【００５７】
また、容器本体２の開口端とキャップ３の底面３ａとの間にパッキン６が配置され、周方向の相対回動によってねじ溝幅広部５ａ，５ｂとねじ山４が強く係合した状態でパッキン６が潰れた状態となっている。しかし、パッキン６は必須ではないため、省略することができる。たとえば、キャップ３の底面３ａと容器本体２の開口端部とが密着して密封を実現するようにしても良い。
【００５８】
また、キャップ３を容器本体２へねじ山４およびねじ溝５の線条方向に沿う方向で締め込んだときに、ねじ山４が、ねじ溝５に設けられた低凸部１２ｂを乗り越えて互いに係止し合っている。しかし、低凸部１２ｂを設けないようにしても良い。たとえば、高凸部１２ａの壁面１２ｇとねじ山４の壁面１１ｅとを接触させ、両者を押圧することのみでキャップ３と容器本体２とを係止することとしても良い。また、本実施の形態では、ねじ山４の全部を第１の凸部１１としているが、ねじ山４の一部を第１の凸部１１としても良い。
【００５９】
また、低凸部１２ｂは、隣接するねじ山４をつなぐ状態で設置され、線条方向の両側に傾斜面１２ｈ，１２ｈを有する台形形状とされている。しかし、傾斜面１２ｈを設けないようにしたり、傾斜面１２ｈの代わりに曲面状の面としたりしても良い。また、傾斜面１２ｈは、低凸部１２ｂの線条方向の片側のみに設けることとしても良い。
【００６０】
また、高凸部１２ａは、その中央部が凹んだ凹部１２ｅを有している。しかし、高凸部１２ａの上面は全域に渡って平坦面としたりしても良い。また、壁面１２ｇは、図８に示すように、周方向に対し角度αを持つような斜面とされているが、壁面１２ｇを斜面とせず壁面１１ｅを斜面とし、第１の凸部１１が図６の矢印Ｙ方向に回動したとき、壁面１２ｇとの密接強度が増すようにしても良い。また、壁面１１ｅ，１２ｇの両者を斜面として押圧強度を増すようにしても良い。
【００６１】
また、ねじ山４の壁面１１ｅは、低い突部１１ｂの上面から約９０°の角度をなし、壁面１１ｅと押圧し合う高凸部１２ａの壁面１２ｇは、高凸部１２ａの上面から約９０°の角度をなしている。しかし、たとえば、高凸部１２ａの低い突部１１ｂが接触する部分はそのようにし、他の部分となる根元側は低凸部１２ｂに徐々に近づく傾斜面としても良い。
【００６２】
また、ねじ山４は、ねじ溝５と同数形成されている。しかし、たとえば、ねじ山４は、ねじ溝５の１本おき、２本おき、３本おき、４本おき、または５本おきに形成されることとしても良い。また、ねじ山４は、容器本体２の外周３０°以上１５０°以下の間隔で、少なくとも３つ以上有することとしても良い。ねじ山４の本数を減らすことで、容器本体２の成形性を良好にする。同様の理由から、第２の凸部１２は、ねじ山４の１本おき、２本おき、３本おき、４本おき、または５本おきに形成されることとしても良い。また、第２の凸部１２は、キャップ３の内周３０°以上１５０°以下の間隔で、少なくとも３つ以上有することとしても良い。
【００６３】
また、本実施の形態では、密封容器１のリード角α，βを３０°としているが、この角度に限定されない。ただし、リード角α，βを１０°以上とすることで、キャップ３を容器本体２に脱着するための回転数（回転角度）を少なくして使いやすくでき得る。また、リード角α，βを８０°以下とすることで、密封容器１はねじ山４とねじ溝５との係合によるねじ結合を良好に実現することができ、結合力を強めることができる。
【００６４】
また、パッキン６はキャップ３の底面３ａの全域を覆うようにしているが、パッキン６はリング状として、容器本体２の開口端と押圧する部分のみに配置するようにしても良い。
【００６５】
また、ねじ山４が、低凸部１２ｂを乗り越える際には、クリック感の衝撃は、必ずしも得られる必要はない。また、衝撃が得られるとしても、その衝撃はクリック感のような衝撃で無くても良い。さらに、キャップ３および容器本体２の材質は、ポリオレフィン系の樹脂としているが、その他の材質のものを採用しても良い。その材質は、樹脂材が好ましいが、金属材、ガラス材、木材等の他の材質のものとしてもよい。ここで、容器本体２とキャップ３のいずれか一方を樹脂のように比較的容易に形状変化可能な弾性を有する材料とすることができる。このように容器本体２とキャップ３の一方を樹脂製とする場合は、密封容器１の開閉動作時のたわみを考慮して、キャップ３をウレタンまたはシリコーン等のような軟質の樹脂製とし、容器本体２を金属材、ガラス材等とすることが好ましい。
【００６６】
また、ユーザーは、密封容器１を持ち歩かないで使用する場合には、矢印Ｘの動作のみを行って密封容器１の密封性を確保し、密封容器１を持ち歩き、密封容器１に衝撃が与えられる状態で使用する場合には、矢印ＸおよびＹの動作を行って密封容器１の密封性をより高く確保する等、使用法を工夫することができる。
【００６７】
図１０は、高凸部１２ａの形状のみ密封容器１から異ならせた、本実施の形態に係る密封容器１の変形例を示す図である。密封容器１の各部材または部位に対応する部材または部位には、同一の符号を付し、その説明を省略する。高凸部１２ａの壁面１２ｇには、その壁面１２ｇに対して直交する方向に最大０．１５ｍｍ突出する丸みを帯びた突出部１２ｍが、連結部１２ｋとは逆側の端部に形成されている。また、壁面１２ｇは、図８に示す角度αが０°となっている。
【００６８】
図１１は、この変形例の密封容器に対して、上述した矢印Ｙの動作を行った場合の途中の状態を示す図である。ねじ山４の壁面１１ｅが、突出部１２ｍを乗り越えようとしている途中であり、壁面１１ｅと突出部１２ｍが押圧し合っている。この状態では、パッキン６の潰れ量が０．２５ｍｍとなる（矢印Ｘの動作を終了した時点のパッキン６の潰れ量は０．１ｍｍ）。
【００６９】
図１２および図１３は、この変形例の密封容器に対して、上述した矢印Ｙの動作を行い終了した状態を示す図である。ねじ山４の壁面１１ｅが、突出部１２ｍを乗り越え、壁面１１ｅと壁面１２ｇとが当接している。この状態では、パッキン６の潰れ量が０．１ｍｍに戻る。ユーザーは、図１１に示した状態から図１２に示した状態となるとき、すなわち、ねじ山４の壁面１１ｅが突出部１２ｍから降りたときに、壁面１１ｅと壁面１２ｇとの衝撃として、クリック感を感じることができる。なお、図１３は、図１２のＬ−Ｌ断面図と、突出部１２ｍの２つの切断線で切断した断面図を示している。突出部１２ｍは、壁面１２ｇの斜面１２ｊ２側まで伸びたもので、切断線Ｍ−Ｍの部分が最も高くなるものである。
【００７０】
なお、図１０から図１３に示した変形例の密封容器のさらなる変形例として、突出部１２ｍに相当する部位を、図８に示した高凸部１２ａの斜面状の壁面１２ｇの図８の右端側に形成されているものを挙げることができる。このような構成にすることによって、密封容器に対して、上述した矢印Ｙの動作を行い終了した状態で、パッキン６の潰れ量を大きくして密封容器の密封度を上げることができると共にクリック感を持たせることができる。
【００７１】
また、突出部１２ｍとしては、図１４に示すように半球状のものとしたり、図１５に示すように、長尺状のものとしたりしても良い。また、突出部１２ｍによって完全に閉じたときのクリック感を持たせず、単に密封度を上げることを目的とする場合には、突出部１２ｍの設置位置を図１５に示すように連結部１２ｋに近い側にしたりしても良い。
【００７２】
さらには、突出部１２ｍと角度αの傾斜とを混ぜたものとしてもよい。図１６にこの例を示す。図１６の例では、突出部１２ｍは、傾斜面１２ｇ１と平行面１２ｇ２とで形成されている。この例では、クリック感は生じないが密封度が高い状態を維持しやすくなる。
【符号の説明】
【００７３】
１  密封容器
２  容器本体
３  キャップ
４  ねじ山
５  ねじ溝
５ａ  第１のねじ溝幅広部
５ｂ  第２のねじ溝幅広部
６  パッキン
１１  第１の凸部
１１ａ  高い突部
１１ｂ  低い突部
１２  第２の凸部
１２ａ  高凸部（突起部）
１２ｂ  低凸部
１２ｅ  凹部
【図１】
2010265031.tif 000003
【図２】
2010265031.tif 000004
【図３】
2010265031.tif 000005
【図４】
2010265031.tif 000006
【図５】
2010265031.tif 000007
【図６】
2010265031.tif 000008
【図７】
2010265031.tif 000009
【図８】
2010265031.tif 000010
【図９】
2010265031.tif 000011
【図１０】
2010265031.tif 000012
【図１１】
2010265031.tif 000013
【図１２】
2010265031.tif 000014
【図１３】
2010265031.tif 000015
【図１４】
2010265031.tif 000016
【図１５】
2010265031.tif 000017
【図１６】
2010265031.tif 000018